(57)【特許請求の範囲】
【請求項１】
模範画像を収録した画像収録手段と、練習者の練習画像を撮像する撮像手段と、前記画像収録手段からの模範画像と撮像手段により撮像した練習画像とを分割状態に合成処理する画像合成手段と、前記模範画像、練習画像又はこれらの合成画像と各種操作用の種々のアイコンとを画面上に表示する表示手段と、処理プログラム操作用の操作マークを登録する操作マーク登録手段と、練習者の特定部位の前記画面上のいずれかのアイコンに対する移動に応じて前記撮像手段により撮像した特定部位の画像と前記各アイコンとの位置関係を判断する判断手段と、予め表示画像の操作に関する種々の処理プログラムを格納するとともにこの判断手段の判断結果に基づき前記特定部位の画像と一致したアイコンに前記操作マークを移動させ当該アイコンをクリックしてこのアイコンにより指定される処理プログラムを実行する制御手段とを有することを特徴とする画像練習装置。
【請求項２】
前記画像収録手段に収録した模範画像は、手話、各種スポーツ、演劇、手品、歌謡、ダンス、演奏、パントマイム等の模範演技の画像である請求項１記載の画像練習装置。
【発明の詳細な説明】
【産業上の利用分野】
本発明は、例えば、手話や各種スポーツの練習に好適な画像練習装置に関する。
【従来の技術】
従来、手話や各種スポーツを練習する際、熟練者の手や体の動きをビデオテープレコーダ等に収録し、画像モニタの画面に当該熟練者の手や体の動きを再生表示して、これを見ながら練習者が熟練者の手や体の動きを真似ることが行われている。
【発明が解決しようとする課題】
しかしながら、上述した従来の手法では、練習者が単に画像モニタの画面を見ながらの練習を実行できるだけで、練習者自身は自らの手や体の動きを客観的に把握できず、習熟の度合いを図ることは困難であった。
そこで、本発明は、練習者が熟練者の手や体の動きを真似する状態を客観的に認識でき、習熟の度合いを明確に把握することが可能な画像練習装置を提供することを目的とするものである。
【課題を解決するための手段】
請求項１記載に係る画像練習装置は、模範画像を収録した画像収録手段と、練習者の練習画像を撮像する撮像手段と、前記画像収録手段からの模範画像と撮像手段により撮像した練習画像とを分割状態に合成処理する画像合成手段と、前記模範画像、練習画像又はこれらの合成画像と各種操作用の種々のアイコンとを画面上に表示する表示手段と、処理プログラム操作用の操作マークを登録する操作マーク登録手段と、練習者の特定部位の前記画面上のいずれかのアイコンに対する移動に応じて前記撮像手段により撮像した特定部位の画像と前記各アイコンとの位置関係を判断する判断手段と、予め表示画像の操作に関する種々の処理プログラムを格納するとともにこの判断手段の判断結果に基づき特定部位の画像と一致したアイコンに前記操作マークを移動させ当該アイコンをクリックしてこのアイコンにより指定される処理プログラムを実行する制御手段とを有するものである。
請求項２記載に係る画像練習装置は、前記請求項１記載の画像収録手段に収録した模範画像は、手話、各種スポーツ、演劇、手品、歌謡、ダンス、演奏、パントマイム等の模範演技の画像としたものである。
【作用】
請求項１記載の画像練習装置における画像収録手段は、収録している模範画像をを送出する。また、練習者が前記模範画像を真似した手や体等の練習を撮像手段に対面して行うと、撮像手段は前記模範画像を真似した練習者の練習画像を撮像し、撮像した練習者の練習画像を送出する。画像処理手段は、前記画像収録手段からの模範画像と、撮像手段により撮像した練習画像とを分割状態に合成処理する。
表示手段は、前記模範画像、練習画像又はこれらの合成画像と、各種操作用の種々のアイコンとを画面上に表示するが、予め操作マーク登録手段により処理プログラム操作用の操作マークを登録しておくことにより、練習者の特定部位の前記画面上のいずれかのアイコンに対する移動に応じて、前記判断手段は、前記撮像手段により撮像した特定部位の画像と前記各アイコンとの位置関係を判断する。
制御手段は、この判断手段の判断結果に基づき特定部位の画像と一致したアイコンに前記操作マークを移動させ当該アイコンをクリックしてこのアイコンにより指定される処理プログラムを実行する。
これにより、練習者は、キーボードやマウスを用いること無く例えば手を前記画面上のいずれかのアイコンに対して移動する非接触操作だけで表示画像の拡大、移動、停止等の各種操作を行うことができる。
請求項２記載の画像練習装置によれば、前記請求項１記載の画像収録手段に収録した模範画像を、手話、各種スポーツ、演劇、手品、歌謡、ダンス、演奏、パントマイム等の模範演技の画像としたので、これらの模範画像を適宜選択して手話、各種スポーツ、演劇、手品、歌謡、ダンス、演奏、パントマイム等の練習を行うことができる。
【実施例】
以下に、本発明に係る画像練習装置の実施例を詳細に説明する。
まず、図１、図２を参照して本発明の第１の実施例を説明する。
本実施例の画像練習装置１は、各種の処理プログラムを格納したプログラムメモリ１２及びＣＰＵ１１からなる制御手段１０を備えるとともに、例えば熟練者の手話動作等の模範画像を収録したビデオテープレコーダ、コンパクトディスク装置等の画像収録手段２と、この画像収録手段２に収録した模範画像を取り込みディジタル画像に処理する画像情報処理部３と、前記模範画像を真似する練習者の練習画像を撮像する撮像手段としてのＣＣＤカメラ４と、このＣＣＤカメラ４からの練習画像を取り込みディジタル画像に処理する画像情報処理部５と、前記画像収録手段２から送出されディジタル画像に変換された模範画像とＣＣＤカメラ４から送出されディジタル画像に変換された練習画像とをとりこみ両画像を分割状態に合成処理する画像処理手段６と、この画像処理手段６により合成したディジタルの模範画像と練習画像とをアナログ画像に変換する表示処理部７と、アナログの模範画像と練習画像とを画面上に分割表示するブラウン管ディスプレイのような表示手段８と、模範画像の内容説明を行う案内音声を記憶した音声情報メモリ９と、案内音声を発音するスピーカ１３と、各種の入力操作を行うキーボード１４及びマウス１５と、前記模範画像、練習画像、画像処理手段６により処理した合成画像を記憶する画像メモリ１６とを具備している。
前記画像練習装置１の本体２０は、図２に示すようにフロッピィディスク用のスロット３０を備えた箱型状に構成され、この本体２０の上部に前記表示手段８を配置するとともに、前記表示手段８の上部中央にＣＣＤカメラ４を取り付けている。
本実施例の画像練習装置１によれば、図２に示すように、画像収録手段２からの例えば手話動作の画像が、前記画像情報処理部３を経てディジタル画像に変換され、画像処理手段６により分割状態に合成処理された後、表示処理部７によりアナログ画像に変換され図２において表示手段８の画面の左半分に模範画像Ｇ０１として表示される。
この模範画像Ｇ０１の動きに応じて練習者が例えば左右両手Ｈ１、Ｈ２を動かすと、前記ＣＣＤカメラ４は練習者が左右両手Ｈ１、Ｈ２の動きを撮像する。そして、前記ＣＣＤカメラ４が撮像した画像は、前記画像情報処理部５を経てディジタル画像に変換され、画像処理手段６により分割状態に合成処理された後、表示処理部７によりアナログ画像に変換され図２において表示手段８の画面の右半分に練習画像Ｇ０２として表示される。
これにより、練習者は画面上に分割表示される模範画像Ｇ０１と自身の練習画像Ｇ０２とを同時に視認でき、自身の手話動作の習熟の度合いを客観的に把握できる。但し、画面の分割数は、図示する例に限定されるものではなく、２以上の複数に分割して実施できる。
次に、図３を参照して本発明の第２の実施例を説明する。
図３に示す画像練習装置１Ａは、基本的な構成は前記画像練習装置１と同様であるが、更に、処理プログラム操作用の操作マークを登録する操作マーク登録手段２１と、練習者の特定部位の前記画面上に表示されるいずれかのアイコンに対する移動に応じて前記ＣＣＤカメラ４により撮像した特定部位の画像と前記各アイコンとの位置関係を判断する判断手段２２と、前記模範画像、練習画像、画像処理手段６により処理した合成画像を収録するビデオテープレコーダ２３とを付加するとともに、前記表示手段８に対して前記模範画像、練習画像、画像処理手段６により処理した合成画像の表示駆動を行う画像ドライバ２４と、種々のアイコンの表示駆動を行うアイコンドライバ２５とを設けたことが特徴である。
この場合、本実施例の画像練習装置１Ａのプログラムメモリ１２には、画像の合成処理プログラム、操作マークの登録プログラム、画像及びアイコンの表示プログラム、前記画像収録手段２又はビデオテープレコーダ２３の操作プログラム等の処理プログラムが格納されるようになっている。
また、表示手段８に表示するアイコンとしては、図５に示すスタート（ＳＴＡＲＴ）、ストップ（ＳＴＯＰ）、図６に示すダウン（ＤＯＷＮ）、アップ（ＵＰ）、拡大（ＺＯＯＭ）、右移動（ＲＩＧＨＴ）、左移動（ＬＥＦＴ）等の各アイコンや、図７に示す前記画像収録手段２の再生、停止、巻戻、早送、録画、一時停止の各操作用のアイコン、図８に示す練習メニューＡ、練習メニューＢ、練習メニューＣ、開始、停止の各アイコン、更には、図９に示す初期画面おける操作マークの登録用アイコン、ＣＣＤカメラ４の操作用アイコン、練習メニュー設定用アイコン、ビデオテープレコーダ２３の操作用アイコン等が設けられる。
次に、前記画像練習装置１Ａの作用を説明する。
まず、図３を参照して操作マークの登録について説明する。練習者の操作マークの登録に際しては、図９に示す初期画面の操作マークの登録用アイコンをマウス１５等で選択した後、図４に示すように、練習者が例えば周囲に対し最適な色の手袋３０をはめた左手Ｈ１を表示手段８の画面上の予め設定した領域Ｒに一定時間（３秒位）かざす。この左手Ｈ１の画像は前記ＣＣＤカメラ４により撮像され、プログラムメモリ１２に格納した操作マークの登録プログラムに従って前記操作マーク登録手段２１に処理プログラム操作用の操作マークとして登録される。
次に、図５に示すスタート、ストップのアイコンが表示された状態で、練習者がスタートのアイコンの前方に、例えば、特定部位としての右手Ｈ２をかざすと、ＣＣＤカメラ４がこの練習者の画像を撮像し、前記判断手段２２は、前記ＣＣＤカメラ４により撮像した右手Ｈ２の画像とスタートのアイコンとの位置関係を判断する。制御手段１０は、この判断手段２２の判断結果に基づき右手Ｈ２の画像と一致したスタートのアイコンに操作マークを移動させ当該アイコンをクリックして例えば図６に示すＣＣＤカメラ４の操作プログラムをスタートさせる。このとき、表示手段８の画面には、図６に示す画像Ｍの中心線ＣＬが表示され、練習者はＣＣＤカメラ４からの自己の画像Ｍを見ながら、例えば特定部位としての右手Ｈ２をスタート、ストップ、ダウン、アップ、拡大、右移動、左移動の各アイコンのいずれかにかざすだけで、ＣＣＤカメラ４のアングルや画像拡大率等を任意に調整することができる。
これと同様に、図７に示す如く前記画像収録手段２の再生、停止、巻戻、早送、録画、一時停止の各操作用のアイコンのうちの例えば再生のアイコンに特定部位としての左手Ｈ１をかざすと、このときの表示手段８の画面は図７に示すようになり、前記判断手段２２は、前記ＣＣＤカメラ４により撮像した右手Ｈ２の画像とスタートのアイコンとの位置関係を判断する。制御手段１０は、この判断手段２２の判断結果に基づき画像収録手段２の再生動作を開始する。停止、巻戻、早送、録画、一時停止の各アイコンに特定部位としての左手Ｈ１をかざした場合も各々対応する動作が実行される。なお、図７には各操作用のアイコンの例示として再生、停止、巻戻、早送、録画、一時停止の各アイコンを図示しているが、本発明においてはこれに限定されるものではなく、例えば、低速再生、左右反転、同時再生等の各操作用アイコンを設けて実施しても良いことは勿論である。
また、図８に示すように、練習メニューＡ、練習メニューＢ、練習メニューＣ、開始、停止の各アイコンを表示手段８の画面に表示させ、所望の練習メニューＡ乃至練習メニューＣを選択、開始、停止の指示をしたりする場合も、上述した場合と同様に各アイコンに左手Ｈ１又は右手Ｈ２をかざすだけでよい。
次に、図１０乃至図１３を参照して前記画像練習装置１又は１Ａの具体的使用例を説明する。
図１０は、前記表示手段８の画面の左側に熟練者の手話動作の模範画像Ｇ１を分割表示し、画面の右側に練習者の手話動作の練習画像Ｇ２を分割表示した例である。この場合、前記熟練者の手話動作の模範画像Ｇ１の動きに応じて前記スピーカ１３から模範画像Ｇ１の内容説明を行う案内音声を発することで、練習者は画面上に分割表示される模範画像Ｇ１と自身の練習画像Ｇ２とを同時に視認でき、かつ、案内音声を聴くこともでき、理解を深めまた自身の習熟の度合いを客観的に把握できる。また、模範画像Ｇ１、練習画像Ｇ２を前記ビデオテープレコーダ２３に収録することももちろん可能である。
図１１は、前記表示手段８の画面の左側下部に熟練者の手話動作の模範拡大画像Ｇ３を、画面の右側上部に練習者の手話動作の練習拡大画像Ｇ４を、画面の右側下部に練習者の手話動作の練習拡大画像Ｇ５を各々表示した例である。この場合、前記ＣＣＤカメラ４に向かって練習者が手話動作を行うと、前記表示手段８の画面には前記練習拡大画像Ｇ４が表示されるが、この練習拡大画像Ｇ４は熟練者の手話動作の模範拡大画像Ｇ３と表裏反対となるため、前記画像処理手段６により画像処理して熟練者の手話動作の模範拡大画像Ｇ３と同じ向きの練習者の手話動作の練習拡大画像Ｇ５を併せて表示することで、熟練者の手話動作をより正確に真似することができ、習得スピードの向上を図ることができる。
図１２は、前記表示手段８の画面の左側に熟練者の野球の投球動作の模範画像Ｇ６を分割表示し、画面の右側に練習者の野球の投球動作の練習画像Ｇ７を分割表示した例である。野球の投球動作の他、ゴルフ、ボーリング、サッカー、太極拳等の各種スポーツの模範画像、練習画像についても同様に表示でき、これらの各種スポーツの練習を模範画像を見ながら行うことができる。また、各種スポーツの模範画像、練習画像を前記ビデオテープレコーダ２３に収録することももちろん可能である。
図１３は、前記表示手段８の画面の左側に熟練者の踊りの動作の模範画像Ｇ８を分割表示し、画面の右側に練習者の踊りの動作の練習画像Ｇ９を分割表示した例である。
踊りの動作の他、ダンスや演劇、手品、歌謡、演奏、パントマイム等の各模範画像、練習画像についても同様に表示でき、模範画像を見ながらこれらの夫々の練習を行うことができる。また、これらの模範画像、練習画像を前記ビデオテープレコーダ２３に収録することももちろん可能である。
【発明の効果】
請求項１記載の発明によれば、練習者は、キーボード等を操作せずに単に特定部位を前記画面上のいずれかのアイコンにかざすだけで処理プログラムを種々に変更して表示画像の拡大、移動、停止等の各種操作を行うことができる画像練習装置を提供することができる。
請求項２記載の発明によれば、模範画像の種類を適宜選択して手話、各種スポーツ、演劇、手品、歌謡、ダンス、演奏、パントマイム等の練習を行うことができる画像練習装置を提供することができる。
【図面の簡単な説明】
【図１】本発明の第１の実施例装置のブロック図である。
【図２】本発明の第１の実施例装置の外観を示す斜視図である
【図３】本発明の第２の実施例装置のブロック図である。
【図４】本発明の第２の実施例装置の操作マークの登録状態を示す図である。
【図５】本発明の第２の実施例装置のスタート動作を示す図である。
【図６】本発明の第２の実施例装置のＣＣＤカメラの操作用アイコンの表示例を示す図である。
【図７】本発明の第２の実施例装置の画像収録手段の操作用アイコンの表示例を示す図である。
【図８】本発明の第２の実施例装置における練習メニュー、開始、停止の各アイコンの表示例を示す図である。
【図９】本発明の第２の実施例装置の初期画面の表示例を示す図である。
【図１０】表示手段の画面に手話動作の模範画像及び練習画像を表示した図である。
【図１１】表示手段の画面に手話動作の拡大画像を表示した図である。
【図１２】表示手段の画面に熟練者の野球の投球動作の模範画像及び練習者の野球の投球動作の練習画像を分割表示した図である。
【図１３】表示手段の画面に熟練者の踊りの動作の模範画像及び練習者の踊りの動作の練習画像を分割表示した図である。
【符号の説明】
１    画像練習装置
１Ａ  画像練習装置
２    画像収録手段
４    ＣＣＤカメラ
５    画像情報処理部
８    表示手段
１０    制御手段
１３    スピーカ
２１    操作マーク登録手段
２２    判断手段
２３    ビデオテープレコーダ
【図１】
0003629558.tif 000002
【図２】
0003629558.tif 000003
【図３】
0003629558.tif 000004
【図４】
0003629558.tif 000005
【図５】
0003629558.tif 000006
【図６】
0003629558.tif 000007
【図７】
0003629558.tif 000008
【図８】
0003629558.tif 000009
【図９】
0003629558.tif 000010
【図１０】
0003629558.tif 000011
【図１１】
0003629558.tif 000012
【図１２】
0003629558.tif 000013
【図１３】
0003629558.tif 000014